(57)【要約】【課題】  本発明は、少なくとも１種のマンガン含有添加剤を用いることで石炭の燃焼の結果として生じる灰に入っている炭素とＮＯｘ生成度合の両方を同時に減少させる添加剤および方法に関する。【解決手段】  マンガン含有添加剤を石炭燃焼効用炉で用い、その結果として、灰内容物に入っている炭素量の低下とＮＯｘ放出量の低下の両方をもたらす。【選択図】  なし【特許請求の範囲】
【請求項１】
石炭の燃焼の結果として生じる飛散灰に入っている炭素の量とＮＯｘの量の両方を減少させる方法であって、
マンガン含有化合物を含んで成る添加剤と石炭を一緒にしてそれらの混合物を生じさせ、そして
前記混合物を燃焼室の中で燃焼させ、
前記マンガン含有化合物を前記石炭が前記燃焼室の中で燃焼する結果として生じる飛散灰に入っている炭素の量とＮＯｘの量の両方を減少させるに有効な量で存在させる、
ことを含んで成る方法。
【請求項２】
前記マンガン化合物が有機金属化合物である請求項１記載の方法。
【請求項３】
前記有機金属化合物がメチルシクロペンタジエニルマンガントリカルボニルを含んで成る請求項２記載の方法。
【請求項４】
石炭の燃焼の結果として生じる飛散灰に入っている炭素の量とＮＯｘの量の両方を減少させる方法であって、
マンガン含有化合物を含んで成る添加剤と石炭を一緒にしてそれらの混合物を生じさせ、そして
前記混合物を燃焼室の中で燃焼させ、
前記マンガン含有化合物を前記石炭が前記燃焼室の中で燃焼する結果として生じる飛散灰に入っている炭素の量とＮＯｘの量の両方を減少させるに有効な量で存在させ、前記添加剤を前記炭素とは別に前記燃焼室の中に直接導入する、
ことを含んで成る方法。
【請求項５】
石炭の燃焼の結果として生じる飛散灰に入っている炭素の量とＮＯｘの量の両方を減少させる時に用いるに適した石炭用添加剤であって、前記添加剤はマンガン化合物を含んで成り、前記マンガン化合物は燃焼前に前記石炭に前記石炭の約１から５００ｐｐｍの処理率で添加される、石炭用添加剤。
【発明の詳細な説明】
【技術分野】
【０００１】
本発明は、石炭含有燃料にマンガン化合物を有効量で添加することで前記燃料の燃焼に由来するＮＯｘと灰に入っている炭素の両方の生成を同時に減少させる添加剤および方法に関する。
【背景技術】
【０００２】
燃料、例えば燃料油および石炭などをボイラー、焼却炉および効用炉（ｕｔｉｌｉｔｙ  ｆｕｒｎａｃｅｓ）で燃焼させる時、高い燃焼効率と少ない排気量（ｅｍｉｓｓｉｏｎｓ）を達成することができることが最も重要である。燃焼効率を向上させる最も直接的な方法の１つは、炭素−炭素、炭素−水素および炭素−ヘテロ原子結合が完全な酸化を受けて二酸化炭素と水の燃焼生成物が生成することを確保する目的で燃焼用空気の体積を増加させることにある。燃焼生成物に含まれる二酸化炭素の含有量がより高くなることは燃焼効率が向上しかつまた灰に含まれる炭素の含有量が低くなることを意味する。不幸なことには、燃焼用空気の体積を増加させるとＮＯｘの生成が助長される可能性がある。言い換えれば、燃焼用空気を多くした場合、燃焼効率（灰に入っている炭素が減少）とＮＯｘ生成の間に逆の関係が存在し、その結果として、一方を向上させると他方が悪化する。このような問題は、特に、排気ガスの再循環を利用する燃焼装置、例えば煙道ガス再循環（ＦＧＲ）装置と通常呼ばれる装置などで生じる。ＦＧＲでは、炎の温度を低くするとＮＯｘが減少するが、灰に含まれる炭素が多くなると言った犠牲を伴う。この種類の燃焼を周囲圧下で起こさせる時に帰すべき通常の燃焼科学はＮＯｘと未燃焼炭素の間に相対関係が存在することを教示している、即ちＮＯｘが減少するように考案した手段は本質的に未燃焼炭素の濃度を高くし、その逆も当てはまる。金属含有添加剤はいろいろな燃焼装置において一方または他方を達成するが両方を同時に達成することはないことが知られている。それを回避しようとする以前に行われた通常の試みでは、一般に、炭素の焼失とＮＯｘが制御下にあるか或は受け入れられる度合に保持されるようにそれらの各々に独立して一連の複数の方法を適用する必要があった。
【発明の開示】
【課題を解決するための手段】
【０００３】
（態様の要約）
本発明は、１つの態様において、少なくとも１種のマンガン含有添加剤化合物を用いて石炭燃焼施設の炭素焼失（即ち灰に含まれる炭素の減少）とＮＯｘ生成濃度の両方を改善する方法に関する。本明細書で教示するように、マンガン含有添加剤を石炭燃焼施設、例えば効用炉などで用いると、結果として、灰内容物に入っている炭素の減少とＮＯｘ排気の減少の両方がもたらされる。
【０００４】
この上で行った一般的説明および以下に行う詳細な説明は両方とも単に典型的および説明的でありかつ請求する如き本発明のさらなる説明を与えることを意図するものであると理解されるべきである。
【発明を実施するための最良の形態】
【０００５】
（態様の詳細な説明）
石炭の燃焼を周囲圧下で起こさせる時に帰すべき通常の燃焼科学はＮＯｘと未燃焼炭素の間に相対関係が存在することを教示している。即ちＮＯｘが減少するように考案した手段は本質的に未燃焼炭素の濃度を高くし、その逆も当てはまる。
【０００６】
本明細書における１つの態様では、とりわけ石炭を含有する燃料と一緒にマンガン含有添加剤を燃焼させる。このマンガン含有添加剤は燃焼過程全体、即ち燃焼装置の高温領域および低温領域の両方（即ち温度が約３６００度Ｆの如く高い炎前部と温度が約５５０度Ｆの如く低いそれの下流）で起こる燃焼過程中の炭素焼失（即ち灰に含まれる炭素の減少）の向上に触媒作用を及ぼす。
【０００７】
他方、ＮＯｘの還元が起こるのは炎前部の下流［この温度は、ＮＯｘが熱で有意に生じる温度範囲（２５００度Ｆを超える温度範囲）の外側の温度である］のみである。約２５００度Ｆより低い時には、マンガンを含有する燃焼副生成物である粒子［煤または飛散灰（ｆｌｙａｓｈ）］の炭素酸化の点でＮＯｘと酸素が競合する。マンガンはそのような炭素酸化反応に触媒作用を及ぼし、それは、ＮＯｘが酸素源である時よりも速くかつ温度が降下した時よりも速い。温度が約５５０度Ｆにまで低くなると、マンガンが触媒作用を及ぼすＮＯｘによるそのような炭素酸化が効率良く起こる。このようなＮＯｘ還元化学は炭素含有粒子、例えば煤または飛散灰など上で起こり、これは、燃焼設定を燃料に対する空気の比率を高く（即ち酸素を化学量論的量より過剰にして運転、即ち燃料が希薄な状態で運転）した時にさえ起こる。その理由は、炭素含有粒子の所の環境は燃料が豊富な環境、即ちＮＯｘの還元に必要な状態にあることによる。従って、マンガンを炭素含有粒子（燃料が豊富）と混合すると、それは燃焼用酸素またはＮＯｘのいずれかを酸化剤として利用して炭素の燃焼に触媒作用を及ぼし得る。このようにして、灰に含まれる炭素が減少すると同時にＮＯｘの還元も起こる。マンガン含有添加剤を用いるとまた一酸化炭素（ＣＯ）の濃度も低下し、このことは、炭素がより酸化された燃焼生成物である二酸化炭素に変化する点で燃焼効率が向上することを示している。
【０００８】
従って、本明細書における別の態様では、石炭の燃焼の結果として生じる飛散灰に入っている炭素の量とＮＯｘの量と一酸化炭素の量を同時に減少させる方法を提供し、この方法は、マンガン含有化合物を含んで成る添加剤と石炭を一緒にしてそれらの混合物を生じさせ、そして前記混合物を燃焼室の中で燃焼させるが、前記マンガン含有化合物を前記石炭が前記燃焼室の中で燃焼する結果として生じる飛散灰に入っている炭素の量とＮＯｘの量と一酸化炭素の量を減少させるに有効な量で存在させることを含んで成る。
【０００９】
更に別の態様では、石炭の燃焼の結果として生じる一酸化炭素の量とＮＯｘの量の両方を同時に減少させる方法を提供し、この方法は、マンガン含有化合物を含んで成る添加剤と石炭を一緒にしてそれらの混合物を生じさせ、そして前記混合物を燃焼室の中で燃焼させるが、前記マンガン含有化合物を前記石炭が前記燃焼室の中で燃焼する結果として生じる一酸化炭素の量とＮＯｘの量の両方を減少させるに有効な量で存在させることを含んで成る。
【００１０】
追加的態様では、石炭の燃焼の結果として生じる飛散灰に入っている炭素の量とＮＯｘの量の両方を減少させる方法を提供し、この方法は、石炭を少なくとも１ｐｐｍのマンガン含有添加剤の存在下で燃焼させることで、前記石炭の燃焼の結果として生じる飛散灰に入っている炭素の量とＮＯｘの量の両方を石炭を前記マンガン含有添加剤の存在なしに燃焼させる結果として生じる飛散灰に入っている炭素の量とＮＯｘの量に比較して減少させることを含んで成る。
【００１１】
更に別の追加的態様では、操作をＦＧＲ様式で行っている間の燃焼を安定にする方法を提供する。ＮＯｘの有意な還元を達成しようとして炉をＦＧＲ率で操作すると、一般に、ＦＧＲが理由で炎が冷える結果として燃焼が不安定になることを経験する。そのように不安定になると燃焼が非効率的になりかつ炭化水素、一酸化炭素および炭素含有量が高い粒子（煙および煤）の量が多くなってしまう。従って、石炭を少なくとも１ｐｐｍのマンガン含有添加剤の存在下で燃焼させることで前記石炭の燃焼の結果として生じる飛散灰に入っている炭素の量とＮＯｘの量の両方を石炭を前記マンガン含有添加剤の存在なしに燃焼させる結果として生じる飛散灰に入っている炭素の量とＮＯｘの量に比較して減少させかつ燃焼安定性を前記マンガン含有添加剤が存在しない時に前記石炭が示す燃焼安定性に比較して向上させることで、石炭の燃焼を安定にする方法を提供する。
【００１２】
本明細書で石炭用添加剤として用いるに有用なマンガン含有化合物の例には無機および有機金属両方の化合物が含まれる。本明細書で用いるに有用な無機マンガン化合物には、酸化マンガン、硫酸マンガンおよび燐酸マンガンの中の１種以上が含まれ得る。
【００１３】
本発明の１つの態様における好適な有機金属化合物には、アルコール、アルデヒド、ケトン、エステル、無水物、スルホネート、ホスホネート、ナフテネート、キレート、フェナート、クラウンエーテル、カルボン酸、アミド、アセチルアセトネートおよびこれらの混合物から成る群から選択される材料に由来するそれらが含まれる。マンガン含有有機金属化合物にはマンガントリカルボニル化合物が含まれる。そのような化合物は例えば米国特許第４，５６８，３５７号、４，６７４，４４７号、５，１１３，８０３号、５，５９９，３５７号、５，９４４，８５８号およびヨーロッパ特許第４４６  ５１２  Ｂ１号に教示されている。
【００１４】
用いることができる適切なマンガントリカルボニル化合物には、シクロペンタジエニルマンガントリカルボニル、メチルシクロペンタジエニルマンガントリカルボニル、ジメチルシクロペンタジエニルマンガントリカルボニル、トリメチルシクロペンタジエニルマンガントリカルボニル、テトラメチルシクロペンタジエニルマンガントリカルボニル、ペンタメチルシクロペンタジエニルマンガントリカルボニル、エチルシクロペンタジエニルマンガントリカルボニル、ジエチルシクロペンタジエニルマンガントリカルボニル、プロピルシクロペンタジエニルマンガントリカルボニル、イソプロピルシクロペンタジエニルマンガントリカルボニル、ｔ−ブチルシクロペンタジエニルマンガントリカルボニル、オクチルシクロペンタジエニルマンガントリカルボニル、ドデシルシクロペンタジエニルマンガントリカルボニル、エチルメチルシクロペンタジエニルマンガントリカルボニル、インデニルマンガントリカルボニルなど（２種以上の前記化合物の混合物を包含）が含まれる。１つの例は、室温で液状であるシクロペンタジエニルマンガントリカルボニル、例えばメチルシクロペンタジエニルマンガントリカルボニル、エチルシクロペンタジエニルマンガントリカルボニル、シクロペンタジエニルマンガントリカルボニルとメチルシクロペンタジエニルマンガントリカルボニルの液状混合物、メチルシクロペンタジエニルマンガントリカルボニルとエチルシクロペンタジエニルマンガントリカルボニルの混合物などである。
【００１５】
そのような化合物の調製は文献、例えば米国特許第２，８１８，４１７号（これの開示は全体が本明細書に組み入れられる）に記述されている。
【００１６】
本明細書に記述するマンガン含有石炭用添加剤化合物を用いることができる燃焼装置には、内燃および外燃装置、機械、エンジン、タービンエンジン、ボイラー、焼却炉、蒸発性バーナー、固定式バーナーなどのいずれかおよび全部が含まれ、このような装置では、炭化水素質燃料、例えば石炭などが燃焼し得るか或はそれを燃焼させ得る。石炭燃焼炉、特に大型の装置は全部特殊に設計されている。しかしながら、大部分は、石炭を粉砕工程にか或はそれを通して運びそして最終的に炉の中の燃焼室に送る一次空気流れを有する。その炉の中にはまた空気を前記燃焼室の中に送り込む１つ以上の二次的空気流れも存在する可能性がある。
【００１７】
本マンガン含有石炭用添加剤化合物を石炭と混合する時、それが燃焼室に入る前か或は入ると同時に混合してもよい。例えば、本マンガン化合物を前記一次空気流れの中に注入して、それを燃焼室に入る前の炭素と混合してもよい。別法として、本マンガン化合物を二次的空気流れと一緒に前記燃焼室の中の石炭の中に注入してそれと混合してもよい。最後に、本マンガン化合物含有添加剤を個別に石炭の中に注入して燃焼室の中に直接注入してもよい。如何なる代替法でも、マンガン原子が存在しかつ触媒活性の目的で利用されるように本マンガン化合物含有添加剤が石炭の中に有効量で入り込むような条件にする。本添加剤は、これが液体燃料と混和しかつ噴霧用ノズルおよび穏やかな熱によって燃焼用空気の中に容易に分散するように液体の形態であってもよい。
【００１８】
石炭に対する本マンガン化合物の処理率は１から約５００ｐｐｍの範囲である。代替処理率は約５から１００ｐｐｍのマンガンである。さらなる態様における処理率は石炭に対して２０ｐｐｍのマンガンである。
【００１９】
以下の実施例で本発明の特定面を更に説明するが、本発明を限定するものでない。
【実施例】
【００２０】
３００メガワット（ＭＷ）の石炭燃焼効用炉を用いて試験を実施した。試験を４６日間継続したが、それを大ざっぱに期間に分けた。１番目の期間は、マンガン含有添加剤を用いないで実施する基本線期間であり、２番目の期間はマンガン含有添加剤を添加して実施する期間であり、そして最後の期間は基本線の繰り返しであった。マンガン含有添加剤を煙道ガス再循環流れの中に注入した。このマンガン含有添加剤を導入すると結果としてＮＯｘの濃度が平均値である１８９ｐｐｍから１５５ｐｐｍにまで低下することを観察し、低下率は１８％であった。このマンガン含有添加剤を導入すると、それと同時に、結果として灰に含まれる炭素の量が平均値である約２０．４％から９．４％にまで降下し、低下率は約５４％であった。この種類の燃焼で１つの方法、即ち１種類のみの添加剤を用いてＮＯｘの減少と灰に含まれる炭素の減少を同時に起こさせることができることは予想外である。
【００２１】
図１および２に、この上に示した実施例でマンガン含有添加剤を用いると結果として燃焼生成物に入っている灰に含まれる炭素とＮＯｘが同時に減少することを示す。図２に、この上に示した実施例でマンガン含有添加剤を用いると結果として燃焼生成物に入っている灰に含まれる炭素とＮＯｘと一酸化炭素が同時に減少することを示す。このデータは、石炭燃焼装置で同じ石炭を期間全体に渡って燃焼させることで集めたデータであり、２００ＭＷ±１０ＭＷの時の１日当たりの平均データが基になっている。「ＧＢ」は、Ｇｒｅｅｎｂｕｒｎ（商標）２００１ＨＦ燃焼用触媒と呼ぶマンガン含有石炭用添加剤を燃焼装置に導入したことを示す。結果から分かるであろうように、ＮＯｘと灰に含まれる炭素と一酸化炭素が実質的に同時に減少した。その結果として得たＮＯｘ減少率は１７％であり、飛散灰炭素含有量減少率は４８％でありかつ煙道ガス一酸化炭素減少率は３０％であった。
【００２２】
本明細書または本明細書の請求の範囲のどこかで化学名を用いて反応体および成分を言及する場合、この言及が単数であるか或は複数であるかに拘らず、それらが別の物質［化学名または化学タイプで言及する］（例えば基礎燃料、溶媒など）に接触する前にそれらが存在するようにそれらを同定すると理解されるべきである。結果として生じる混合物または溶液または反応媒体中でどんな化学変化、変換および／または反応（もしあれば）が起ころうとも問題でない、と言うのは、そのような変化、変換および／または反応は指定反応体および／または成分を本開示に従って要求する条件下で一緒にする結果として自然に起こる事であるからである。従って、反応体および成分を所望の化学反応（例えば有機金属化合物の生成）を実施する時にか或は所望の組成物（例えば添加剤濃縮物または添加剤が添加されている燃料ブレンド物）を生じさせる時に一緒にすべき材料として識別する。また、添加剤成分を本質的に個別および／または前以て生じさせておく添加剤組み合わせおよび／または副次的組み合わせを生じさせる時に用いる成分として基礎燃料に添加またはブレンドするか或は一緒にしてもよいことも理解されるであろう。従って、本明細書に示す請求の範囲で物質、成分および／または材料を現在時制（「含んで成る」、「である」など）で言及することがあり得るかもしれないが、そのような言及は、本開示に従ってそれを他の１種以上の物質、成分および／または材料に最初にブレンドまたは混合する直ぐ前の時間にそれが存在していたように当該物質、成分または材料を指すものである。従って、このような物質、成分または材料はそのようなブレンドもしくは混合操作過程中またはその直後に起こる化学反応または変換を通してそれの元々の同定を失う可能性があることは本開示および本請求の範囲の正確な理解および評価にとって全く重要でない。
【００２３】
本明細書の全体に渡って数多くの場所で多数の米国特許、公開された外国特許出願および公開された技術論文を言及してきた。そのような引用した資料は全部あたかも本明細書に詳細に挙げるように明らかに本開示に完全に組み込まれる。
【００２４】
本発明は本発明の実施においてかなりの変形を受け易い。従って、この上に行った説明は本発明を本明細書の上に示した特別な例示に限定することを意図するものでなくかつ限定として解釈されるべきでない。むしろ、保護することを意図する事項は本請求の範囲に挙げる如き事項および法の問題として許されるそれの相当物である。
【００２５】
本特許権保有者は開示した全ての態様を公に捧げることを意図するものでなく、そして開示した何らかの修飾形または変形が文字通りには本請求の範囲の範囲内に入らない可能性はあるが、その度合で、それらは相当物の見解の下で本発明の一部であると見なす。
【００２６】
本発明の特徴および態様は以下の通りである。
１．  石炭の燃焼の結果として生じる飛散灰に入っている炭素の量とＮＯｘの量の両方を減少させる方法であって、
マンガン含有化合物を含んで成る添加剤と石炭を一緒にしてそれらの混合物を生じさせ、そして
前記混合物を燃焼室の中で燃焼させるが、
前記マンガン含有化合物を前記石炭が前記燃焼室の中で燃焼する結果として生じる飛散灰に入っている炭素の量とＮＯｘの量の両方を減少させるに有効な量で存在させる、
ことを含んで成る方法。
２．  前記マンガン化合物が有機金属化合物である第１項記載の方法。
３．  前記有機金属化合物の有機部分がアルコール、アルデヒド、ケトン、エステル、無水物、スルホネート、ホスホネート、ナフテネート、キレート、フェナート、クラウンエーテル、カルボン酸、アミド、アセチルアセトネートおよびこれらの混合物から成る群から選択される材料に由来する第２項記載の方法。
４．  前記有機金属化合物がメチルシクロペンタジエニルマンガントリカルボニルを含んで成る第２項記載の方法。
５．  前記マンガン化合物を下記の群：シクロペンタジエニルマンガントリカルボニル、メチルシクロペンタジエニルマンガントリカルボニル、ジメチルシクロペンタジエニルマンガントリカルボニル、トリメチルシクロペンタジエニルマンガントリカルボニル、テトラメチルシクロペンタジエニルマンガントリカルボニル、ペンタメチルシクロペンタジエニルマンガントリカルボニル、エチルシクロペンタジエニルマンガントリカルボニル、ジエチルシクロペンタジエニルマンガントリカルボニル、プロピルシクロペンタジエニルマンガントリカルボニル、イソプロピルシクロペンタジエニルマンガントリカルボニル、ｔ−ブチルシクロペンタジエニルマンガントリカルボニル、オクチルシクロペンタジエニルマンガントリカルボニル、ドデシルシクロペンタジエニルマンガントリカルボニル、エチルメチルシクロペンタジエニルマンガントリカルボニル、インデニルマンガントリカルボニルなど（２種以上の前記化合物の混合物を包含）から選択する第２項記載の方法。
６．  前記マンガン含有化合物を酸化マンガン、硫酸マンガンおよび燐酸マンガンから成る群から選択する第１項記載の方法。
７．  前記マンガン化合物が前記石炭の約２０ｐｐｍを構成するようにする第１項記載の方法。
８．  前記マンガン化合物が前記石炭の約５から１００ｐｐｍを構成するようにする第１項記載の方法。
９．  前記マンガン化合物が前記石炭の約１から５００ｐｐｍを構成するようにする第１項記載の方法。
１０．  前記添加剤を前記炭素を前記燃焼室の中に運び込む空気流れの中に導入する第１項記載の方法。
１１．  石炭の燃焼の結果として生じる飛散灰に入っている炭素の量とＮＯｘの量の両方を減少させる方法であって、
マンガン含有化合物を含んで成る添加剤と石炭を一緒にしてそれらの混合物を生じさせ、そして
前記混合物を燃焼室の中で燃焼させるが、
前記マンガン含有化合物を前記石炭が前記燃焼室の中で燃焼する結果として生じる飛散灰に入っている炭素の量とＮＯｘの量の両方を減少させるに有効な量で存在させ、前記添加剤を前記炭素とは別に前記燃焼室の中に直接導入する、
ことを含んで成る方法。
１２．  前記添加剤を煙道ガス再循環流れの中に導入する第１１項記載の方法。
１３．  前記添加剤を前記燃焼室の中に送り込まれる二次的空気の流れの中に導入する第１１項記載の方法。
１４．  石炭の燃焼の結果として生じる飛散灰に入っている炭素の量とＮＯｘの量の両方を減少させる方法であって、
マンガン化合物を含んで成る添加剤と石炭を一緒にしてそれらの混合物を生じさせ、
前記石炭と添加剤の混合物を石炭燃焼用燃焼室の中に導入し、
前記混合物を前記燃焼室の中で燃焼させるが、
前記マンガン化合物を前記石炭が前記燃焼室の中で燃焼する結果として生じる飛散灰に入っている炭素の量とＮＯｘの量の両方を減少させるに有効な量で存在させる、
ことを含んで成る方法。
１５．  石炭の燃焼の結果として生じる飛散灰に入っている炭素の量とＮＯｘの量の両方を減少させる時に用いるに適した石炭用添加剤であって、マンガン化合物を燃焼前の前記石炭に前記石炭の約１から５００ｐｐｍの処理率で添加するようにマンガン化合物を含んで成る石炭用添加剤。
１６．  前記マンガン化合物を燃焼前の前記石炭に前記石炭の約５から１００ｐｐｍの処理率で添加する第１４項記載の石炭用添加剤。
１７．  前記マンガン化合物を燃焼前の前記石炭に前記石炭の約２０ｐｐｍの処理率で添加する第１４項記載の石炭用添加剤。
１８．  石炭の燃焼の結果として生じる飛散灰に入っている炭素の量とＮＯｘの量と一酸化炭素の量を同時に減少させる方法であって、マンガン含有化合物を含んで成る添加剤と石炭を一緒にしてそれらの混合物を生じさせ、そして前記混合物を燃焼室の中で燃焼させるが、前記マンガン含有化合物を前記石炭が前記燃焼室の中で燃焼する結果として生じる飛散灰に入っている炭素の量とＮＯｘの量と一酸化炭素の量を減少させるに有効な量で存在させることを含んで成る方法。
１９．  石炭の燃焼の結果として生じる一酸化炭素の量とＮＯｘの量の両方を減少させる方法であって、
マンガン含有化合物を含んで成る添加剤と石炭を一緒にしてそれらの混合物を生じさせ、そして
前記混合物を燃焼室の中で燃焼させるが、
前記マンガン含有化合物を前記石炭が前記燃焼室の中で燃焼する結果として生じる一酸化炭素の量とＮＯｘの量の両方を減少させるに有効な量で存在させる、
ことを含んで成る方法。
２０．  石炭の燃焼の結果として生じる飛散灰に入っている炭素の量とＮＯｘの量の両方を減少させる方法であって、石炭を少なくとも１ｐｐｍのマンガン含有添加剤の存在下で燃焼させることで、前記石炭の燃焼の結果として生じる飛散灰に入っている炭素の量とＮＯｘの量の両方を石炭を前記マンガン含有添加剤の存在なしに燃焼させる結果として生じる飛散灰に入っている炭素の量とＮＯｘの量に比較して減少させることを含んで成る方法。
２１．  石炭の燃焼を安定にする方法であって、石炭を少なくとも１ｐｐｍのマンガン含有添加剤の存在下で燃焼させることで、前記石炭の燃焼の結果として生じる飛散灰に入っている炭素の量とＮＯｘの量の両方を石炭を前記マンガン含有添加剤の存在なしに燃焼させる結果として生じる飛散灰に入っている炭素の量とＮＯｘの量に比較して減少させかつ燃焼安定性を前記マンガン含有添加剤が存在しない時に前記石炭が示す燃焼安定性に比較して向上させる方法。
【図面の簡単な説明】
【００２７】
【図１】図１に、マンガン含有添加剤がＮＯｘ還元に対して示した性能を示す。
【図２】図２に、マンガン含有添加剤を用いると灰に入っている炭素と一酸化炭素が減少することを示す。
【図１】
2005042109.tif 000002
【図２】
2005042109.tif 000003